(57)【要約】【課題】  ベース内の密閉性を保つことができるデータ記憶装置及び磁気ディスク装置を提供することを目的とする。【解決手段】  本発明に係るデータ記憶装置は、記録ディスク１１０と、スルー・ホール１２１を備えるベース１２０と、スルー・ホール１２１と位置合わせされたタッピング・ホール１３１と、タッピング・ホール１３１が底部に形成された窪み部分１３２とを有するトップ・カバー１３０と、スルー・ホール１２１を通ってタッピング・ホール１３１と螺合し、ベース１２０の外側表面と密接するヘッド１４１を備えるスクリュー１４０とを備える。そして、トップ・カバー１３０は、窪み部分１３２がベース１２０側に配置された状態でベース１２０内側に嵌合し、窪み部分１３２の底部は、スクリュー１４０が螺合した状態でスルー・ホール１２１を囲む領域においてベース１２０に密接する。【選択図】  図１
2005339625.tif 000002
【特許請求の範囲】
【請求項１】
データを記録する媒体と、
当該媒体を収容し、ホールを備えるベースと、
前記ホールと位置合わせされたタッピング・ホールを有するトップ・カバーと、
前記ホールを貫通して前記タッピング・ホールと螺合し、前記ベースの表面と密接するヘッドを備えるスクリューとを備え、
前記トップ・カバーは、前記ベース内側に嵌合し、前記スクリューが螺合した状態で前記ホールを囲む領域において前記ベースに密接する、
データ記憶装置。
【請求項２】
前記ベースはプレス加工により形成されている、請求項１に記載のデータ記憶装置。
【請求項３】
前記ホールはスルー・ホールであり、前記スクリューは前記スルー・ホールを貫通した状態で前記タッピング・ホールと螺合する、請求項１に記載のデータ記憶装置。
【請求項４】
前記トップ・カバーは、前記タッピング・ホールが底部に形成された窪み部分を有し、前記窪み部分が前記ベース側に配置された状態で前記ベース内側に嵌合し、
前記窪み部分の底部は、前記ホールを囲む領域において前記ベースに密接する、請求項１に記載のデータ記憶装置。
【請求項５】
前記タッピング・ホールを覆うシール・テープを、さらに備え、
前記シール・テープは、前記窪み部分の外周に密着して前記窪み部分を密閉する、請求項４記載のデータ記憶装置。
【請求項６】
前記シール・テープは、前記トップ・カバーの全面を覆う１枚のシール・テープである、請求項５に記載のデータ記憶装置。
【請求項７】
前記窪み部分は底部に形成された突出部を有し、
前記タッピング・ホールは、前記突出部内に形成されたバーリング・タップである、請求項４に記載のデータ記憶装置。
【請求項８】
データを記録する媒体と、
当該媒体を収容し、ホールを備えるベースと、
前記ホールと位置合わせされたタッピング・ホールを備えるトップ・カバーと、
前記ホールを貫通して前記タッピング・ホールと螺合し、前記ベースの表面と密接するヘッドを備えるスクリューと、
前記タッピング・ホールを覆うシール・テープと、
を備えるデータ記憶装置。
【請求項９】
前記ベースはプレス加工により形成されている、請求項８に記載のデータ記憶装置。
【請求項１０】
前記ホールはスルー・ホールであり、前記スクリューは前記スルー・ホールを貫通した状態で前記タッピング・ホールと螺合する、請求項８に記載のデータ記憶装置。
【請求項１１】
前記トップ・カバーは、前記ベース内側において前記ベースの外周に沿って前記ベースと嵌合し、
前記シール・テープは、前記トップ・カバー及び前記ベースに密着し、前記ベースと前記トップ・カバーとの間の空隙を封止する、
請求項８に記載のデータ記憶装置。
【請求項１２】
前記シール・テープは、前記トップ・カバーの全面を覆う１枚のシール・テープである、請求項８に記載のデータ記憶装置。
【請求項１３】
前記トップ・カバーは、前記スクリューが螺合した状態で前記ベースの前記トップ・カバー側表面と密接し前記スルー・ホールの周囲を囲む密接部を備える、請求項８に記載のデータ記憶装置。
【請求項１４】
前記トップ・カバーは、前記タッピング・ホールが底部に形成された窪み部分を有し、
前記トップ・カバーは、前記窪み部分が前記ベース側に配置された状態で前記ベース内側に嵌合し、
前記窪み部分の底部は、前記スクリューが螺合した状態で前記ホールを囲む領域において前記ベースに密接し、
前記シール・テープは、当該窪み部分の外周に密着して前記窪み部分を密閉し、
前記窪み部分は底部に形成された突出部を有し、
前記タッピング・ホールは、前記突出部内に形成されたバーリング・タップである、
請求項８に記載のデータ記憶装置。
【請求項１５】
前記トップ・カバーは、前記スクリューが螺合した状態で前記ベースの前記トップ・カバー側表面と密接し前記スルー・ホールの周囲を囲む密接部を備え、
前記トップ・カバーは、前記ベース内側において前記ベースの外周に沿って前記ベースと嵌合し、
前記シール・テープは、前記トップ・カバー及び前記ベースに密着し、前記ベースと前記トップ・カバーとの間の空隙を封止する、
請求項８に記載のデータ記憶装置。
【請求項１６】
前記トップ・カバーは、前記ベース内側において前記ベースの外周に沿って前記ベースと嵌合し、
前記シール・テープは、前記トップ・カバー及び前記ベースに密着し、前記ベースと前記トップ・カバーとの間の空隙を封止し、
前記トップ・カバーは、前記タッピング・ホールが底部に形成された窪み部分を有し、
前記トップ・カバーは、前記窪み部分が前記ベース側に配置された状態で前記ベース内側に嵌合し、
前記窪み部分の底部は、前記スクリューが螺合した状態で前記ホールを囲む領域において前記ベースに密接し、
前記シール・テープは、当該窪み部分の外周に密着して前記窪み部分を密閉する、
請求項８に記載のデータ記憶装置。
【請求項１７】
前記窪み部分は底部に形成された突出部を有し、
前記タッピング・ホールは、前記突出部内に形成されたバーリング・タップである、
請求項１６に記載のデータ記憶装置。
【請求項１８】
磁気データを記録する磁気ディスクと、
前記磁気ディスクを回転するモータと、
前記磁気ディスクの記録領域にアクセスするヘッドと、
前記磁気ディスク、前記モータ、及び前記ヘッドを収容するベースと、
前記ベース内側において前記ベースの外周に沿って前記ベースと嵌合するトップ・カバーと、
前記トップ・カバー及び前記ベースに密着し、前記ベースと前記トップ・カバーとの間の空隙を封止するシール・テープと、
前記ベースと前記トップ・カバーを固定するスクリューと、を備え、
前記トップ・カバーは、タッピング・ホールが底部に形成され、前記ベース側に窪む窪み部分を有し、
前記スクリューは、前記ベースに形成されたホールを貫通して前記タッピング・ホールと螺合し、前記ベースの表面と密接するヘッドを備え、
前記窪み部分の底部は、前記スクリューが螺合した状態で前記ホールを囲む領域において前記ベースに密接し、
前記シール・テープは、当該窪み部分の外周に密着して前記窪み部分を密閉する、
磁気ディスク装置。
【発明の詳細な説明】
【技術分野】
【０００１】
本発明は、データ記憶装置及び磁気ディスク装置に関する。
【背景技術】
【０００２】
データ記憶装置として、光ディスクや磁気テープなどの様々な態様のメディアを使用する装置が知られている。その中で、ハードディスク・ドライブは、コンピュータの記憶装置として広く普及し、現在のコンピュータ・システムにおいて欠かすことができない記憶装置の一つとなっている。さらに、コンピュータ・システムにとどまらず、動画像記憶再生装置、カーナビゲーション・システム、あるいはデジタル・カメラなどで使用されるリムーバブルメモリなど、ハードディスク・ドライブの用途は、その優れた特性により益々拡大している。
【０００３】
ハードディスク・ドライブは、磁気ディスク、アクチュエータ、ヘッドを備えている。磁気ディスクは、データを記憶し、ヘッドは、磁気ディスクとの間のデータ読み出し及び／もしくは書き込みを行う。アクチュエータは、ボイス・コイル・モータによって駆動され、ピボットを中心として回動する。そして、アクチュエータは、回転する磁気ディスク上でヘッドを半径方向に移動する。これによって、ヘッドが磁気ディスクに形成された所望のトラックにアクセスし、データの読み出し／書き込み処理を行うことができる。
【０００４】
磁気ディスク等の各種部品は、ベースに搭載される。このベースは、トップ・カバーによって覆われる。このトップ・カバーは、ベースにネジ止めされる。このトップ・カバー上にシール・テープが貼付されている。このようなハードディスク・ドライブの一例が、特許文献１に開示されている。図５の断面図に、この特許文献１におけるハードディスク・ドライブが示されている。
【０００５】
このハードディスク・ドライブ９００においては、ベース９１０内側に段差面９２０が設けられている。トップ・カバー９３０は、この段差面９２０に、スクリュー９４０がネジ止めされる。このスクリュー９４０は、トップ・カバー９３０側からベース９１０の段差面９２０に螺着されている。スクリュー９４０は、トップ・カバー９３０表面よりもへこんだ凹状部９５０に取付けられ、このネジ止め状態で、ベース９１０外周の上面とトップ・カバー９３０表面とが略同じ高さになっている。
【０００６】
ベース９１０にネジ止めされたトップ・カバー９３０全体は、シール・テープ９６０によって覆われている。このシール・テープ９６０は、ベース９１０開口縁の全周囲に亘って被覆し、ベース９１０とトップ・カバー９３０との継ぎ目９１１を気密に密閉している。その結果、トップ・カバー９３０がシール・テープ９６０内に閉じ込められ、これらを固定するスクリュー９４０、スルー・ホール９７０もシール・テープ９６０内側に収容される。これによって、ベース９１０とトップ・カバー９６０との継ぎ目９１１で気流が発生して空気が振動するのを防止し、騒音を低下させている。
【０００７】
他の一例として、特許文献２に、ベース内部に外気が流入するのを防止するハードディスク・ドライブが開示されている。このハードディスク・ドライブについては、図示しない。特許文献２に開示のハードディスク・ドライブにおいては、プレス加工によって形成された薄型のトップ・カバーが用いられている。このトップ・カバーは、ベースの内周面に嵌め込まれた状態で、トップ・カバー側からトップ・カバー下方のベースにネジ止めされている。また、スクリューが螺合するトップ・カバー側のタッピング・ホールは、そのスクリューのヘッドがトップ・カバー表面に突出しないように、トップ・カバー表面より低い締結面に形成されている。
【０００８】
シール・テープは、締結したスクリューの上方からトップ・カバー上に貼り付けられている。貼付されたシール・テープは、トップ・カバー表面を完全に覆い、締結したスクリューも被覆している。それとともに、シール・テープは、シール・テープがベースとトップ・カバーとの隙間を完全に塞いでいる。これによって、この隙間からベース内に外気が侵入するのを防止している。また、このハードディスク・ドライブにおいては、ベースとトップ・カバーとの間には、パッキンが挟みこまれ、ベース内の密閉性が保持される。
【０００９】
なお、特許文献３に、ミニ・ディスクの記録／再生装置が開示されている。このミニ・ディスクの記録／再生装置においては、カバー（デッキ側のフレーム）がシャーシに下方からネジ止めされた構造が開示されている。詳細には、カバーを固定するスクリューの軸部は、シャーシのスルー・ホールに接触することなく、所定の間隙をもって配置されている。さらに、このスクリューのヘッドは、スルーホールよりも径の大きな嵌着孔に接触することなく、所定の間隙（ギャップ）をもって配置されている。従って、スクリューは、シャーシに対して離間して接触しない状態で取付けられている。スクリューのヘッドとシャーとの間の間隙においてカバー、シャーシが振動すると、弾性ゴム部材がこの振動を吸収する。このように、特許文献３に開示された記録／再生装置は、スクリュー、特にスクリューのヘッドとシャーシとが離間した構造を有する。
【００１０】
このようにトップ・カバーをベースにネジ止めする場合、スクリューを確実に締結するために、このタッピング・ホール側面のネジ山の数は多い方が好ましい。特許文献１，２に開示されたハードディスク・ドライブにおいては、トップ・カバーを固定するスクリューは、トップ・カバー側からベースに螺着されている。ダイキャストによってベースを形成する場合には、プレス加工と異なってベースに厚みを持たせることができるので、ベースにタッピング・ホールを深く形成することができる。そのため、タッピング・ホール側面のネジ山の数を増やすことができる。
【特許文献１】特開平１１−２３２８３３号公報
【特許文献２】特開平１０−３３４６４１号公報
【特許文献３】特開２０００−２３４６５０号公報
【発明の開示】
【発明が解決しようとする課題】
【００１１】
本発明は、上記事情を背景としてなされたものであって、ベース内の密閉性を保つことができるデータ記憶装置及び磁気ディスク装置を提供することを目的とする。
【課題を解決するための手段】
【００１２】
本発明に係るデータ記憶装置は、データを記録する媒体と、当該媒体を収容し、ホールを備えるベースと、前記ホールと位置合わせされたタッピング・ホールを有するトップ・カバーと、前記ホールを貫通して前記タッピング・ホールと螺合し、前記ベースの表面と密接するヘッドを備えるスクリューとを備え、前記トップ・カバーは、前記ベース内側に嵌合し、前記スクリューが螺合した状態で前記ホールを囲む領域において前記ベースに密接するものである。
ベースのホールを囲む領域にトップ・カバーが密着するので、ベース内のエアーがベースのホールやトップ・カバーのタッピング・ホールからリークするのを防止することができる。従って、ベース内側の密閉性を保つことができる。
【００１３】
好適には、前記ベースはプレス加工により形成されている。また、前記ホールはスルー・ホールであり、前記スクリューは前記スルー・ホールを貫通した状態で前記タッピング・ホールと螺合する。ベース、スルー・ホールをプレス加工によって形成することができるので、ベース、ホールを安価に形成することができる。
【００１４】
さらに、前記トップ・カバーは、前記タッピング・ホールが底部に形成された窪み部分を有し、前記窪み部分が前記ベース側に配置された状態で前記ベース内側に嵌合し、前記窪み部分の底部は、前記ホールを囲む領域において前記ベースに密接する。
窪み部分を設けることによって、トップ・カバーがホールを囲む領域でベースに密着するのを容易にすることができる。
【００１５】
さらにまた、本発明に係るデータ記憶装置は、前記タッピング・ホールを覆うシール・テープを備え、前記シール・テープは、前記窪み部分の外周に密着して前記窪み部分を密閉する。
シール・テープが窪み部分を密閉するので、ベース内のエアーがタッピング・ホールのネジ側からリークするのを確実に防止することができる。
【００１６】
また、前記シール・テープは、前記トップ・カバーの全面を覆う１枚のシール・テープである。
タッピング・ホールからのエア・リークを防ぐシール・テープに、ベースとトップ・カバーとの間からエアーがリークするのを防ぐシール・テープを併用することできる。従って、ベースとトップ・カバーとの間隙を塞ぐ１枚のシール・テープをトップ・カバー全体に貼付するだけで、ベース内の密閉性を確実に保つことができる。それ故、ベース内の密閉性を保つために生産コストが上昇するのを回避することができる。
【００１７】
また、前記窪み部分は底部に形成された突出部を有し、前記タッピング・ホールは、前記突出部内に形成されたバーリング・タップである。それ故、トップ・カバーがベースのホール周囲を囲むのが容易となり、エア・リークを容易に防ぐことができる。
【００１８】
他方、本発明に係るデータ記憶装置は、データを記録する媒体と、当該媒体を収容し、ホールを備えるベースと、前記ホールと位置合わせされたタッピング・ホールを備えるトップ・カバーと、前記ホールを貫通して前記タッピング・ホールと螺合し、前記ベースの表面と密接するヘッドを備えるスクリューと、前記タッピング・ホールを覆うシール・テープとを備えるものである。
シール・テープがタッピング・ホールのネジ側におけるエア・リークするのを防止するので、ベース内側の密閉性を保つことができる。
【００１９】
好適には、前記ベースはプレス加工により形成されている。また、前記ホールはスルー・ホールであり、前記スクリューは前記スルー・ホールを貫通した状態で前記タッピング・ホールと螺合する。ベース、スルー・ホールをプレス加工によって形成することができるので、ベース、ホールを安価に形成することができる。
【００２０】
また、前記トップ・カバーは、前記ベース内側において前記ベースの外周に沿って前記ベースと嵌合し、前記シール・テープは、前記トップ・カバー及び前記ベースに密着し、前記ベースと前記トップ・カバーとの間の空隙を封止する。またさらに、前記シール・テープを、前記トップ・カバーの全面を覆う１枚のシール・テープとすることができる。
タッピング・ホールからのエア・リークを防ぐシール・テープに、ベースとトップ・カバーとの間からエアーがリークするのを防ぐシール・テープを併用することできる。従って、ベースとトップ・カバーとの間隙を塞ぐ１枚のシール・テープをトップ・カバー全体に貼付するだけで、ベース内の密閉性を確実に保つことができる。それ故、ベース内の密閉性を保つために生産コストが上昇するのを回避することができる。
【００２１】
さらに、本発明に係るデータ記憶装置は、前記トップ・カバーは、前記スクリューが螺合した状態で前記ベースの前記トップ・カバー側表面と密接し前記スルー・ホールの周囲を囲む密接部を備える。
トップ・カバーがベースのトップ・カバー側表面に密接するので、ベース内のエアーがタッピング・ホールからリークするのを防止することができる。従って、ベース内側の密閉性を確実に保つことができる。
【００２２】
さらにまた、前記トップ・カバーは、前記タッピング・ホールが底部に形成された窪み部分を有し、前記トップ・カバーは、前記窪み部分が前記ベース側に配置された状態で前記ベース内側に嵌合し、前記窪み部分の底部は、前記スクリューが螺合した状態で前記ホールを囲む領域において前記ベースに密接し、前記シール・テープは、当該窪み部分の外周に密着して前記窪み部分を密閉し、前記窪み部分は底部に形成された突出部を有し、前記タッピング・ホールは、前記突出部内に形成されたバーリング・タップである。タッピング・ホールが形成された箇所が窪んでいるので、ベースとトップ・カバーとの間隙を塞ぐシール・テープを容易に貼付することが可能となる。さらに、トップ・カバーがベースのホール周囲を囲むのが容易となり、エア・リークを容易に防ぐことができる。
【００２３】
他方、本発明に係るデータ記憶装置は、前記トップ・カバーは、前記スクリューが螺合した状態で前記ベースの前記トップ・カバー側表面と密接し前記スルー・ホールの周囲を囲む密接部を備え、前記トップ・カバーは、前記ベース内側において前記ベースの外周に沿って前記ベースと嵌合し、前記シール・テープは、前記トップ・カバー及び前記ベースに密着し、前記ベースと前記トップ・カバーとの間の空隙を封止する。
トップ・カバーがベースのトップ・カバー側表面に密接するので、ベース内のエアーがタッピング・ホールからリークするのを防止することができる。従って、ベース内側の密閉性を確実に保つことができる。
【００２４】
さらに、前記トップ・カバーは、前記ベース内側において前記ベースの外周に沿って前記ベースと嵌合し、前記シール・テープは、前記トップ・カバー及び前記ベースに密着し、前記ベースと前記トップ・カバーとの間の空隙を封止し、前記トップ・カバーは、前記タッピング・ホールが底部に形成された窪み部分を有し、前記トップ・カバーは、前記窪み部分が前記ベース側に配置された状態で前記ベース内側に嵌合し、前記窪み部分の底部は、前記スクリューが螺合した状態で前記ホールを囲む領域において前記ベースに密接し、前記シール・テープは、当該窪み部分の外周に密着して前記窪み部分を密閉する。それ故、タッピング・ホールが形成された箇所が窪んでいるので、ベースとトップ・カバーとの間隙を塞ぐシール・テープを容易に貼付することが可能となる。
【００２５】
また、前記窪み部分は底部に形成された突出部を有し、前記突出部内に前記タッピング・ホールが形成されている。それ故、トップ・カバーがベースのホール周囲を囲むのが容易となり、エア・リークを容易に防ぐことができる。
【００２６】
本発明に係る磁気ディスク装置は、磁気データを記録する磁気ディスクと、前記磁気ディスクを回転するモータと、前記磁気ディスクの記録領域にアクセスするヘッドと、前記磁気ディスク、前記モータ、及び前記ヘッドを収容するベースと、前記ベース内側において前記ベースの外周に沿って前記ベースと嵌合するトップ・カバーと、前記トップ・カバー及び前記ベースに密着し、前記ベースと前記トップ・カバーとの間の空隙を封止するシール・テープと、前記ベースと前記トップ・カバーを固定するスクリューと、を備え、前記トップ・カバーは、タッピング・ホールが底部に形成され、前記ベース側に窪む窪み部分を有し、前記スクリューは、前記ベースに形成されたホールを貫通して前記タッピング・ホールと螺合し、前記ベースの表面と密接するヘッドを備え、前記窪み部分の底部は、前記スクリューが螺合した状態で前記ホールを囲む領域において前記ベースに密接し、前記シール・テープは、当該窪み部分の外周に密着して前記窪み部分を密閉するものである。
ベースのホールを囲む領域にトップ・カバーが密着するので、ベース内のエアーがベースのホールやトップ・カバーのタッピング・ホールからリークするのを防止することができる。さらに、シール・テープによって、ベース内のエアーがタッピング・ホールのネジ側からリークするのを確実に防止することができる。従って、ベース内側の密閉性を確実に保つことができる。
【発明の効果】
【００２７】
本発明によれば、ベース内の密閉性を保つことができるデータ記憶装置及び磁気ディスク装置を提供することができる。
【発明を実施するための最良の形態】
【００２８】
以下、本発明が適用可能な実施の形態について図を参照して説明する。
【００２９】
発明の実施の形態１．
まず、本発明に係るハードディスク・ドライブの全体構成について説明する。図１の分解斜視図に、本発明に係るハードディスク・ドライブの一部構成が示されている。図１では、本発明に係るハードディスク・ドライブの主要な構成部材が示されている。
【００３０】
図１において、符号１００によって、このハードディスク・ドライブが示されている。図１において、１１０は磁気ディスク、１２０はベース、１３０はトップ・カバー、１４０，１５０はスクリュー、１６０はシール・テープ、１７０はスピンドル・モータである。
【００３１】
磁気ディスク１１０は、情報を記録する媒体であり、例えば、磁性層が磁化されることによってデータを記録する不揮発性の記録ディスクである。この磁気ディスク１１０は、アルミニウム基板もしくはガラス基板によって形成されうる。
【００３２】
ベース１２０は、上部開口の箱状の形状を有し、ハードディスク・ドライブ１００の各構成要素を収容する。ベース１２０は、プレス加工を施工することによって形成されている。プレス加工は、プレス機を使用して、型打ち抜き、型鍛造、板曲げなどによって部材を加工する。このプレス加工によって、圧延で作られた金属の板を所望の形に成形することができる。この成形品は、金型の形に応じて成形される。また、ベース１２０として、鉄鋼（ＳＰＣＣ）や磁性ステンレス鋼等の磁性体のプレートが用いられる。
【００３３】
なお、加工法として、打ち抜き、穴あけ、絞り、曲げ等の加工法も知られている。プレス加工は、鋳造と比較して加工が容易であり、製造コストの面からも好ましい加工法である。
【００３４】
ベース１２０には、後に詳述するスルー・ホール１２１が形成されている。このスルー・ホール１２１は、プレス加工によって形成されたベース１２０を部分的に打ち抜くことによって形成することができる。
【００３５】
ベース１２０の底部１２２には、ハードディスク・ドライブ１００の各構成部品が固定される。この底部１２２の外周を包むように、壁部１２３が設けられている。この壁部１２３によって規定されたベース内空間１２４は、複数のエリアに区分けされている。その内、ディスク収容エリア１２５には、磁気ディスク１１０、後述するスピンドル・モータ等のディスク・アセンブリが収容される。これに対して、アクチュエータ収容エリア１２６には、後述するアクチュエータ等が収容される。
【００３６】
トップ・カバー１３０は、薄型の略平板状の部材であり、例えばプレス加工を施すことによって形成される。このトップ・カバー１３０には、後に詳述するタッピング・ホール１３１が形成されている。このタッピング・ホール１３１は、いわゆるバーリング・タップである。すなわち、タッピング・オール１３１は、バーリング加工によってトップ・カバー１３０の一方の側面に突出している。また、タッピング・ホール１３１は、窪み部分１３２の略中央に形成されている。この窪み部分１３２の形状は、上面視略円形状であるが、これに限らず、種々の形状をとすることができる。この窪み部分１３２の上面視形状は、窪み部分１３２を囲んで閉じた形状であることが好ましい。
【００３７】
本実施形態におけるハードディスク・ドライブ１００は、いわゆる落し蓋方式の構造を有する。すなわち、トップ・カバー１３０は、ベース１２０の上部開口に嵌合し、ベース１２０の上部開口を閉蓋して塞ぐ。これによって、トップ・カバー１３０は、磁気ディスク１１０、後述するスピンドル・モータ、アクチュエータ等のディスク・アセンブリを覆っている。また、トップ・カバー１３０は、フッ素ゴム等の図示しないガスケットを介して、ベース１２０に固定される。
【００３８】
スクリュー１４０，１５０は、タッピング・ネジである。スクリュー１４０は、後述するように、トップ・カバー１３０をベース１２０に固定する。スクリュー１５０は、トップ・カバー１３０をベース１２０に固定するとともに、ベース１２０内空間１２４において、スピンドル・モータ１７０を固定している。また、スクリュー１５０は、トップ・カバー１３０に形成されたスルー・ホール１５１に貫装され、スピンドル・モータ１７０に螺着される。
【００３９】
シール・テープ１６０は、合成樹脂等から構成され、表面に粘着材や接着剤が塗布された略シート状のテープである。シール・テープ１６０は、トップ・カバー１３０に敷設され、ベース１２０とトップ・カバー１３０との間隙を塞ぐ。これによって、ディスク・エンクロージャが構成され、ハードディスク・ドライブ１００の各アセンブリが密閉状態で収容される。従って、ベース１２０とトップ・カバー１３０との間隙を塞ぐために、シール・テープ１６０の大きさは、ベース１２０の上部開口を覆うような大きさとするのが好ましい。
【００４０】
また、シール・テープ１６０の形状は、ベース１２０内のエアーがリースする箇所のみに貼付可能な形状とすることもできる。具体的には、ベース１２０の外周、スクリュー１４０近傍を覆うような形状としてもよい。このとき、シール・テープ１６０は、一枚シートでもよいし、物理的に分離されてもよい。
【００４１】
スピンドル・モータ１７０は、磁気ディスク１１０を回転駆動するモータである。具体的には、スピンドル・モータ１７０は、流体軸受モータとすることができる。流体軸受モータの場合には、モータの回転軸の軸受部において回転部と固定部との間に油等の流体のみが介在するだけであるため、回転部が滑らかに回転することができる。また、スピンドル・モータ１７０を玉軸受モータとしてもよい。
【００４２】
スピンドル・モータ１７０は、ディスク収容エリア１２５の底部１２２のほぼ中央に配置され、ベース１２０内面の底部１２２に固定される。このスピンドル・モータ１７０上面の外周に沿って、ハブ１７２が設けられている。また、スピンドル・モータ１７０は、回路基板（不図示）に接続されている。この図示しない回路基板は、ベース１２０外面（下面）に取付けられ、典型的にはベース１２０の外半面を覆うような大きさの略矩形状の形状を有する。
【００４３】
スピンドル・モータ１７０のハブ１７２上には、磁気ディスク１１０が載置される。この磁気ディスク１１０上には、さらに、トップ・クランプ１７２が載置される。これにより、ハブ１７２は、トップ・クランプ１７２との間で、磁気ディスク１１０を挟持する。トップ・クランプ１７２は、スクリュー１５０によってスピンドル・モータ１７０にネジ止めされる。これによって、磁気ディスク１１０は、スピンドル・モータ１７０に固定され、スピンドル・モータ１７０により所定の回転速度で回転駆動される。
【００４４】
図２の斜視図に、本発明に係るハードディスク・ドライブ１００の一構成例が示されている。この図２においては、ハードディスク・ドライブ１００の各部材がベース１２０に収納された状態が示されている。
【００４５】
図２において、１８０はヘッド、１９０はアクチュエータ、２００はランプ機構である。
【００４６】
ヘッド１８０は、ホスト（不図示）との間で入出力されるデータについて、磁気ディスク１１０への書き込み及び／または読み出しを行う。ヘッド１８０は、記録素子及び／又は再生素子、スライダ（これら、不図示）を有している。この記録素子は、磁気ディスク１１０への記録データに応じて電気信号を磁界に変換する。再生素子は、磁気ディスク１１０からの磁界を電気信号に変換する。スライダは、これら記録素子及び／又は再生素子の面上に形成されている。
【００４７】
アクチュエータ１９０は、一端においてヘッド１８０を支持するとともに、他端において回動軸１９１に回動自在に保持されている。これによって、アクチュエータ１９０は、ヘッド１８０を磁気ディスク１１０上あるいは磁気ディスク１１０を離れて所望の位置に移動することができる。また、アクチュエータ１９０は、図示しないＦＰＣ（Flexible Printed Circuit）によって、ベース１２０底部に取付けられた回路基板（不図示）と接続されている。
【００４８】
アクチュエータ１９０は、アクチュエータ・アーム１９２とＶＣＭ（Voice Coil Motor）１９３とを備えている。このアクチュエータ・アーム１９２の先端には、弾性を有するサスペンション１９４が設けられている。ヘッド１８０は、このサスペンション１９４に固着されている。また、サスペンション１９４の先端部に、タブ１９５が形成されている。アクチュエータ・アーム１９２は、ＶＣＭ１９３の回動軸１９１に回動可能に取付けられている。これらアクチュエータ・アーム１９２、ＶＣＭ１９３は、ベース１２０のアクチュエータ収容エリア１２６に収納されている。
【００４９】
ランプ機構２００は、磁気ディスク１１０の回転が停止するときに、ヘッド１８０を磁気ディスク１１０から退避させる。
【００５０】
このように構成されたハードディスク・ドライブ１００は、次にように動作を行う。
ハードディスク・ドライブ１００の非動作時には、磁気ディスク１１０は、静止している。ＶＣＭ１９３は、コントローラ（不図示）からフラットコイルに流される駆動信号に応じて、回動軸１９１を中心としてアクチュエータ・アーム１９２を回動させる。これによって、ヘッド１８０は、磁気ディスク１１０の上に移動したり、磁気ディスク１１０の外側へ移動したりすることができる。
【００５１】
スピンドル・モータ１７０は、回路基板（不図示）との間で、モータ駆動用の電力、信号等の入出力を行う。アクチュエータ１９０は、この図示しない回路基板との間で、ＶＣＭ１９３用コイルへの動力やヘッド１８０の読み取り等のための電力、信号の入出力を行う。この回路基板（不図示）とアクチュエータ１９０との間の入出力は、ＦＰＣ（不図示）を介して行なわれる。
【００５２】
アクチュエータ１９０は、磁気ディスク１１０からのデータの読み取り／書き込みのため、回転している磁気ディスク１１０表面のデータ領域上空にヘッド１８０を移動する。アクチュエータ１９０が回動することによって、ヘッド１８０が磁気ディスク１１０の表面の半径方向に沿って移動する。これによって、ヘッド１８０が所望のトラックにアクセスすることができる。
【００５３】
ヘッド１８０は、磁気ディスク１１０に対向するスライダのＡＢＳ（Air Bearing Surface）面と回転している磁気ディスク１１０との間の空気の粘性による圧力が、アクチュエータ１９０によって磁気ディスク１１０方向に加えられる圧力とバランスすることによって、ヘッド１８０は磁気ディスク１１０上に一定のギャップを置いて浮上する。
【００５４】
本実施形態のハードディスク・ドライブ１００はロード・アンロード型と称されるディスク・ドライブ装置である。詳細には、磁気ディスク１１０の回転が停止すると、ヘッド１８０が磁気ディスク１１０表面に接触し、吸着現象が生じる。これに起因して、データ領域の傷の発生、磁気ディスクの回転不能などの問題が起こる。そのため、磁気ディスク１１０の回転が停止するときには、アクチュエータ１９０は、ヘッド１８０をデータ領域からランプ機構２００に退避させる。
【００５５】
アクチュエータ１９０がランプ機構２００の方向に回動すると、アクチュエータ１９０先端のタブ１９５がランプ機構２００表面上を摺動しながら移動する。この摺動するタブ１９５がこのランプ機構２００上のパーキング面に載ることにより、ヘッド１８０がアンロードされる。ロードのときには、パーキング面に支持されていたアクチュエータ１９０は、ランプ機構２００から離脱して磁気ディスク１１０表面上空に移動する。尚、ＣＳＳ方式（Contact Start and Stop）のハードディスク・ドライブにおいては、磁気ディスク１１０内周側に形成されているＣＳＳゾーンにヘッド１８０が退避する。
【００５６】
なお、本実施形態のハードディスク・ドライブは、一枚の磁気ディスク１１０を備えるが、本発明は、複数枚の磁気ディスクを備えるハードディスク・ドライブに適用することができる。複数枚の磁気ディスクを両面記録する場合には、ハブ１７２によってスピンドル・モータ１７０の回転軸方向に所定の間隔で複数枚の磁気ディスクを一体的に保持する。それぞれ各記録面を走査するヘッドを保持するアクチュエータ・アームを記録面の数だけ用意し、アクチュエータ・アーム１９２と所定の間隔をおいて重なる位置でアクチュエータ１９０に固定する。
【００５７】
次に、本発明に係るハードディスク・ドライブ１００のトップ・カバー１３０のベース１２０への固定形態について説明する。
図３の断面図に、ハードディスク・ドライブ１００の一構成例が示されている。この断面図には、図２におけるＡ−Ａ’断面が部分的に示され、スクリュー１４０周辺が示されている。
【００５８】
図３に示すように、ベース１２０の外周には、上側ベース・ステップ１２８、下側ベース・ステップ１２９が設けられている。これらベース・ステップ１２８，１２９は、ベース１２０の外周から階段状に形成された段差面である。ベース・ステップ１２８，１２９は、スクリュー１４０によって固定される固定部分付近に設けられればよい。また、ベース１２０外周全てに設けることもでき、スクリュー１４０が取付けられる箇所を含め、ベース１２０外周における所定の複数の箇所にのみ設けてもよい。
【００５９】
トップ・カバー１３０は、上側ベース・ステップ１２８上に上方から載置される。具体的には、トップ・カバー１３０外周が上側ベース・ステップ１２８上に係止され、上側ベース・ステップ１２８によって支持されている。このとき、トップ・カバー１３０の窪み部分１３２の突出側は、ベース１２０側に配設されている。すなわち、この窪み部分１３２底部がベース１２０の上側ベース・ステップ１２８表面に対向している。この対向状態で、窪み部分１３２に形成されたタッピング・ホール１３１は、スルー・ホール１２１上に配置されている。
【００６０】
タッピング・ホール１３１は、バーリングによって突出した突出部分１３４を有する。すなわち、この突出部分１３４は、トップ・カバー１３０の窪み部分１３２のへこみと反対側に突出している。従って、タッピング・ホール１３１は、トップ・カバー１３０が載置された状態で上方に突出する。換言すれば、トップ・カバー１３０は、この突出部分１３４がベース１２０側からトップ・カバー１３０側に向かうように載置される。また、突出部分１３４の突出程度は、窪み部分の深さ程度、若しくはその深さよりも小さい程度である。
【００６１】
トップ・カバー１３０は、この載置状態で、スクリュー１４０によって固定される。詳細には、スクリュー１４０は、ベース１２０に対してトップ・カバー１３０の反対側（ベース１２０下方）からスルー・ホール１２１を貫通し、トップ・カバー１３０のタッピング・ホール１３１に螺合される。この螺合されたスクリュー１４０は、強固に締結され、これによってトップ・カバー１３０はベース１２０上に固定される。また、トップ・カバー１３０は、スクリュー１４０とともにスクリュー１５０によってベース１２０に固定されている。
【００６２】
スクリュー１４０周辺において、スクリュー１４０が強く締結されるので、トップ・カバー１３０の窪み部分１３２底面は、下側ベース・ステップ１２９表面に密接している。従って、下側ベース・ステップ１２９は、この密接状態で、窪み部分１３２底部によって囲繞されている。
【００６３】
なお、トップ・カバー１３０がベース１２０上に覆設されたときに、窪み部分１３２底部は下側ベース・ステップ１２９に当接してもよいし、近接しているだけでもよい。トップ・カバー１３０は、スクリュー１４０，１５０によってベース１２０に固定されたときに、この窪み部分１３２の底部が下側ベース・ステップ１２９表面に当接すればよい。
【００６４】
スクリュー１４０がトップ・カバー１３０を締結したとき、その強固な締結によって、スクリュー１４０のヘッド１４１は、ベース１２０の下側ベース・ステップ１２９の底面に当接している。詳細には、下側ベース・ステップ１２９の上下に対向する表面はそれぞれ、トップ・カバー１３０の窪み部分１３２底部、スクリュー１４０のヘッド１４１に圧接する。従って、下側ベース・ステップ１２９は、これらヘッド１４１と窪み部分１３２との間で強く挟まれている。
【００６５】
トップ・カバー１３０は、ベース１２０に固定されると、シール・テープ１６０によって覆われる。具体的には、シール・テープ１６０は、その粘着材や接着剤が塗布された塗布側の表面をトップ・カバー１３０側に配置し、この状態でトップ・カバー１３０に貼付される。詳細には、シール・テープ１６０は、トップ・カバー１３０の表面（ベース１２０に対して反対側の表面）に略平面状に貼付される。それとともに、シール・テープ１６０は、ベース１２０の外縁部分１２７表面に貼り付けられる。
【００６６】
シール・テープ１６０は、この貼付された状態において、トップ・カバー１３０の窪み部分１３２を覆っている。詳細には、シール・テープ１６０は、窪み部分１３２の外周部分１３３に接着されている。これによって、シール・テープ１６０は、窪み部分１３２の外周部分１３３に密着している。従って、窪み部分１３２は、この密接状態で、シール・テープ１６０によって囲繞されている。
【００６７】
図３に示されるように、スクリュー１４０先端がタッピング・ホール１３１から突出している。スクリュー１４０の突出高さは、窪み部分１３２の深さ程度であり、スクリュー１４０先端とトップ・カバー１３０表面とは略同じ高さとなっている。シール・テープ１６０は、この突出したスクリュー１４０上に貼り付けられ、トップ・カバー１３０全体に亘って略平面状に敷設されている。これによって、スクリュー１４０先端は、シール・テープ１６０と窪み部分１３２との間に閉鎖される。
【００６８】
また、スクリュー１４０の先端がタッピング・ホール１３１から突出しない場合には、タッピング・ホール１３１端部に、シール・テープ１６０が貼付される。さらに、スクリュー１４０先端がタッピング・ホール１３１から過度に突出する場合には、シール・テープ１６０に、この突出する先端を覆うような凹凸を設けてもよい。この場合であっても、シール・テープ１６０の形状は、窪み部分１３２の外周部分１３３に密着することができればよい。
【００６９】
このように、スクリュー１４０がトップ・カバー１３０を締結した状態では、窪み部分１３２底部が下側ベース・ステップ１２９に密着しているので、ベース内空間１２４、すなわちベース１２０とトップ・カバー１３０とによって封入されたエアーが密閉される。従って、ベース内空間１２４のエアーが下側ベース・ステップ１２９とトップ・カバー１３０との間からリークするのを防ぐことができる。
【００７０】
さらに、窪み部分１３２がシール・テープ１６０によって閉鎖されるので、タッピング・ホール１３１は、スクリュー１４０の先端側において密閉されている。これによって、タッピング・ホール１３１とスクリュー１４０との間隙、つまりスクリュー１４０の側面付近の空間が、スクリュー１４０のヘッド１４１とシール・テープ１６０との間で密閉されている。従って、ベース内空間１２４のエアーが下側ベース・ステップ１２９とトップ・カバー１３０との間から抜けたとしても、これらヘッド１４１、シール・テープ１６０間で防ぐことができる。
【００７１】
またさらに、スクリュー１４０のヘッド１４１は、スクリュー１４０の締結状態で、下側ベース・ステップ１２９底部に密着するので、ベース１２０のスルー・ホール１２１からエアーがリークするのを防止することができる。
【００７２】
以上のように、本発明に係るハードディスク・ドライブ１００においては、ベース内空間２４内のエアーがスクリュー１４０周辺からリークするのを確実に防止することができる。それ故、ベース内空間１２４の内圧が低下するのを防ぐことができ、この内圧低下に起因して埃等が外部から侵入するのを防ぐことができる。これにより、ハードディスク・ドライブ１００が侵入した埃によって故障するのを回避することができ、耐久性、信頼性の向上を図ることができる。
【００７３】
さらに、ベース１２０、トップ・カバー１３０をともにプレス加工によって安価に形成することができるので、ハードディスク・ドライブ１００の生産コストを低減することができる。またさらに、シール・テープ１６０は、ベース内空間１２４のエアーを密閉するために一般に使用されるが、このシール・テープ１６０を、スクリュー１４０近傍、具体的にはタッピング・ホール１３１におけるエア・リークを防止するのに併用することができる。従って、エア・リークを防ぐための新たな構造体を設けることなく、安価に、かつ確実にエア・リークを防止することが可能となる。
【００７４】
なお、本実施形態においては、トップ・カバー１３０に窪み部分１３２が設けられているが、これに限られない。具体的には、トップ・カバー１３０の形状を、全体として凹凸がなく略平面状な形状とすることも可能であり、トップ・カバー１３０が、ベース１２０のスルー・ホール１２１周囲を密着状態で囲繞すればよい。この場合には、ベース１２０とトップ・カバー１３０との密着面積を増加させることができるので、エア・リークをより確実に防止することができる。
【００７５】
またなお、本発明は、ベース１２０、トップ・カバー１３０がダイキャスト等の他の加工方法によって形成された場合にも適用可能である。この場合には、スクリュー１４０によって固定されるベース１２０の固定箇所が薄型に形成されている。
【００７６】
発明の実施の形態２．
発明の実施の形態１においては、トップ・カバー１３０の突出部分１３４が外側（シール・テープ１６０側）に突出している場合について説明したが、発明の実施の形態２においては、内側（ベース１２０側）に突出する場合について説明する。
図４の断面図に、この場合におけるハードディスク・ドライブ１００の一構成例が示されている。図４において、３３０はトップ・カバー、３３１はタッピング・ホール、３３４は突出部分である。なお、図１乃至図３に示されたハードディスク・ドライブ１００の部材と同じ部材については、同じ符号を付し、ここではその説明を省略する。
【００７７】
トップ・カバー３３０は、トップ・カバー１３０と異なり、窪み部分１３２のない略平らな形状を有する。このトップ・カバー３３０もまた、プレス加工によって形成することができる。
タッピング・ホール３３１は、タッピング・ホール１３３と同様のバーリング・タップであり、バーリング加工によって形成される。そのため、タッピング・ホール３３１は、トップ・カバー１３０の一方の側面に突出した突出部分３３４を有する。この突出部分３３４が形成されたトップ・カバー１３０の側面に対向する反対側の側面は、略平坦とすることができる。
【００７８】
図４に示すように、トップ・カバー３３０は、トップ・カバー１３０と同様に、ベース１２０の上部開口に嵌合し、ベース１２０の上部開口を閉蓋して塞ぐ。このとき、トップ・カバー３３０は、トップ・カバー１３０と異なり、突出部分３３４がベース１２０側に突出するように配置されている。すなわち、突出部分３３４は、トップ・カバー３３０とベース１２０との間に配置されている。
【００７９】
トップ・カバー３３０は、スクリュー１４０によってベース１２０に固定される。このスクリュー１４０は、ベース１２０下方からタッピング・ホール３３１に螺合され、強固に締結される。スクリュー１４０のヘッド１４１は、この強固な締結によって、ベース１２０の下側ベース・ステップ１２９底面に密接する。これによって、スクリュー１４０のヘッド１４１側からエアーがリークするのを防止することができる。
【００８０】
トップ・カバー３３０上には、シール・テープ１６０が貼付される。このとき、トップ・カバー３３０の突出部分３３４は、ベース１２０内部に向き、シール・テープ１６０側に突出していない。従って、トップ・カバー３３０上にシール・テープ１５０を容易に貼付することができる。さらに、シール・テープ１６０は、タッピング・ホール３３１のネジ側を塞いでいるので、ネジ側でエア・リークが発生するのを防ぐことができる。
【００８１】
また、シール・テープ１６０は、トップ・カバー３３０とベース１２０との間隙を封止するためのものである。従って、タッピング・ホール３３１のエア・リークを防止するシール・テープを新たに設ける必要がないので、このエア・リークを防止するために生産コストが上昇するのを回避することができる。
【００８２】
以上のように、本実施形態のハードディスク・ドライブ１００においても、スクリュー１４０のヘッド１４１側、シール・テープ１６０側の双方におけるエア・リークを防ぐことができる。これに対して、発明の実施の形態１においては、ヘッド１４１側、シール・テープ１６０側に加え、トップ・カバー１３０とベース１２０との密着によってエア・リークを防止している。従って、本実施形態のように、２箇所でエア・リークを防止することも可能であるが、発明の実施の形態１に示されたように３箇所でエア・リークを防止する方が好ましい。
【００８３】
本実施形態に示したように、トップ・カバー３３０に加えてベース１２０もプレス加工によって形成する場合には、ネジ締めされるタッピング・ホール３３１は、バーリング・タップにするのが通常である。この場合、バーリングできる高さが限られており、ネジ山の数をかせぐことができないので、バーリング・タップ３３１は、スクリュー１４０が貫通しない止め穴にすることができない。そのため、エアーが漏れるのはスクリュー１４０のヘッド１４１側からではなく、内側面がネジ切りされたタッピング・ホール３３１のネジ側でエア・リークが発生する。本実施形態のように、シール・テープ１６０がタッピング・ホール３３１のネジ側を密閉するので、このネジ側のエア・リークを防止することができる。
【００８４】
また、突出部分３３４は、ベース１２０内部に向いた場合には、スクリュー１４０が締結された状態において、下側ベース・ステップ１２９表面に密接しない場合がある。すなわち、場合によっては、突出部分３３４とベース１２０との間に、間隙３３５が形成される。さらに、スクリュー１４０が貫通するスルー・ホール１２１の内側面は、その幅が狭いため、タップを形成することができない。この場合には、スクリュー１４０がスルー・ホール１２１を貫通するだけである。そのため、ベース１２０は、トップ・カバー３３０に向かう方向に可動となる。
従って、何らかの刺激によって、スクリュー１４０のヘッド１４１がベース１２０から離れ、スルー・ホール１２１からエアーがリークする恐れがある。それゆえ、発明の実施の形態１に示すように、間隙３３５が生じないように、ベース１２０とトップ・カバー１３０との密着する方が好ましく、エア・リークをより確実に防止することができる。
【図面の簡単な説明】
【００８５】
【図１】本発明に係るハードディスク・ドライブの一構成例を示す分解斜視図である。
【図２】本発明に係るハードディスク・ドライブの一構成例を示す斜視図である。
【図３】本発明に係るハードディスク・ドライブの一構成例を示すＡ−Ａ’断面図である。
【図４】本発明に係るハードディスク・ドライブの他の一構成例を示す断面図である。
【図５】従来のハードディスク・ドライブの一構成例を示す断面図である。
【符号の説明】
【００８６】
１００…ハードディスク・ドライブ、１１０…磁気ディスク、１０２…ベース、
１３０，３３０…トップ・カバー、１４０，１５０…スクリュー、
１６０…シール・テープ、１７０…スピンドル・モータ、１８０…ヘッド、
１９０…アクチュエータ、２００…ランプ機構
【図１】
2005339625.tif 000003
【図２】
2005339625.tif 000004
【図３】
2005339625.tif 000005
【図４】
2005339625.tif 000006
【図５】
2005339625.tif 000007